(57)【要約】【課題】角ワイヤとコネクタ端子との接続を、圧接により接続することにより、より確実に接続できる角ワイヤとコネクタ端子との接続構造を提供する。【解決手段】角ワイヤーと端子との接続構造であって、コネクタ端子は、縦方向に形成された端子部と、この端子部と直交する横方向に形成された圧接部とで形成され　前記圧接部の正面方向に角ワイヤーを挟み込むスリットを形成する一対の挟持部を設け、両挟持部の内壁に圧接用の一対の挟持突起を設けたことを特徴とする。【選択図】　　　図１
2004022237.tif 000002
【特許請求の範囲】
【請求項１】
角ワイヤーと端子との接続構造であって、端子は、縦方向に形成された端子部と、この端子部と直交する横方向に形成された圧接部とで形成され　前記圧接部の正面方向に角ワイヤーを挟み込むスリットを形成する一対の挟持部を設け、両挟持部の内壁に圧接用の一対の挟持突起を設けたことを特徴とする角ワイヤーと端子との接続構造。
【請求項２】
請求項１に記載の角ワイヤーと端子との接続構造であって、端子は、縦方向に形成された端子部と、この端子部と直交する横方向に形成された圧接部とで形成され　前記圧接部の側面方向に角ワイヤーを挟み込むスリットを形成する一対の挟持部を設け、両挟持部の内壁に圧接用の一対の挟持突起を設けたことを特徴とする角ワイヤーと端子との接続構造。
【発明の詳細な説明】
【０００１】
【発明の属する技術分野】
本発明は、角ワイヤーとコネクタ端子との接続構造に関する。
【０００２】
【従来の技術】
近来、車両の電源配索部材の１つとして線条バスバーである角ワイヤー３０が用いられており、この角ワイヤー３０を用いる場合における角ワイヤー３０とコネコタ端子３１との接続には、図５に示すような溶接による接続３２が考えられている。
【０００３】
ところが、上記の溶接による接続３２では、作業工程と使用機器が増加し、これに伴ってリードタイムの増加とコストアップの要因となっている。
【０００４】
そこで、角ワイヤー３０をコネクタ端子３１に接続する図６に示すような、圧接による接続３３が考えられる。
【０００５】
【発明が解決しようとするする課題】
しかしながら、従来のコネクタ端子３１の形状では、図７に示すように、端子部３４と圧接部３５のそれぞれに必要最低限の長さが存在するため、端子縦方向の長さＬが長くなってしまい、さらに、圧接部３５の形状３５ａでは角ワイヤー３０のホールド性が悪く、接触抵抗に影響を与えることが考えられる。
【０００６】
そこで、本発明は、角ワイヤーと端子との接続を、圧接により接続することにより、より確実に接続できる角ワイヤーと端子との接続構造の提を目的とする。
【０００７】
【課題を解決するための手段】
上記目的を解決するために、請求項１の発明は、角ワイヤーと端子との接続構造であって、端子は、縦方向に形成された端子部と、この端子部と直交する横方向に形成された圧接部とで形成され　前記圧接部の正面方向に角ワイヤーを挟み込むスリットを形成する一対の挟持部を設け、両挟持部の内壁に圧接用の一対の挟持突起を設けたことを特徴としている。
【０００８】
請求項１の発明では、コネクタ端子は、縦方向に形成された端子部と、この端子部と直交する横方向に形成された圧接部とで形成され　前記圧接部の正面方向に角ワイヤーを挟み込むスリットを形成する一対の挟持部を設け、両挟持部の内壁に圧接用の一対の挟持突起を設けているため、角ワイヤーをコネクタ端子に確実に固定できる。
【０００９】
また、縦方向に形成された端子部に対し圧接部を横方向に形成しているので、コネクタ端子の高さを抑えることができる。
【００１０】
また、圧接による接続を実現させ、溶接工程を削減することにより、コストダウンを図ることができる共に、より確実で安定した圧接状態を実現することができる。
【００１１】
請求項２の発明は、　請求項１に記載の角ワイヤーと端子との接続構造であって、コネクタ端子は、縦方向に形成された端子部と、この端子部と直交する横方向に形成された圧接部とで形成され　前記圧接部の側面方向に角ワイヤーを挟み込むスリットを形成する一対の挟持部を設け、両挟持部の内壁に圧接用の一対の挟持突起を設けたことを特徴としている。
【００１２】
請求項２の発明では、コネクタ端子は、縦方向に形成された端子部と、この端子部と直交する横方向に形成された圧接部とで形成され　前記圧接部の側面方向に角ワイヤーを挟み込むスリットを形成する一対の挟持部を設け、両挟持部の内壁に圧接用の一対の挟持突起を設けているため、角ワイヤーをコネクタ端子の側面方向に向けて接続できるので、請求項１発明の効果に加え、電源配索の自由度を広げることができる。
【００１３】
【発明の実施の形態】
以下、本発明の実施形態について、図面を用いて説明する。
図１（ａ）は、本発明の第１実施形態に係るコネクタ端子を示す斜視図である。
【００１４】
この実施形態のコネクタ端子２は、図１（ａ）に示すように、縦方向に形成された端子部３と、この端子部３と直交する横方向に形成された圧接部４とを有するＬ字型に形成されている。
【００１５】
上記圧接部４には、図１（ａ）、（ｄ）、（ｅ）に示すように、正面方向に角ワイヤー１を挟み込むスリット５を形成する一対の挟持部６を備え、両挟持部６の内壁には、圧接用の一対の挟持突起７が設けられている。
【００１６】
そして、挟持部６、６間に角ワイヤー１の端末を圧入することにより、挟持突起７、７が潰れて、角ワイヤー１の端末部分と圧接部４とが電気的に接続される。
【００１７】
上記の構成によれば、圧接部４の正面方向に角ワイヤー１を挟み込むスリット５を形成する一対の挟持部６を設け、、両挟持部６の内壁に圧接用の一対の挟持突起７を設けているので、図２に示すように、角ワイヤー１をコネクタ端子２に確実に固定できる。
【００１８】
また、縦方向に形成された端子部３に対し圧接部４を横方向に形成しているので、図２（ｂ）に示すようにコネクタ端子２の高さを抑えることができる。
【００１９】
本発明の角ワイヤーとコネクタ端子との接続構造によれば、圧接による接続を実現させ、溶接工程を削減することにより、コストダウンを図ることができる共に、より確実で安定した圧接状態を実現することができる。
【００２０】
図３及び図４は、本発明の第２実施形態に係るコネクタ端子を示す斜視図である。
【００２１】
この実施形態のコネクタ端子２２は、図３に示すように、縦方向に形成された端子部２３と、この端子部２３と直交する横方向に形成された圧接部２４とを有するＬ字型に形成されている。
【００２２】
前記２圧接部４には、図３に示すように、該圧接部２４の側面方向に角ワイヤー１を挟み込むスリット２５を形成する一対の挟持部２６を備え、両挟持部２６の内壁には、圧接用の一対の挟持突起２７が設けられている。
【００２３】
上記の構成によれば、圧接部２４の側面方向に角ワイヤー１を挟み込むスリット２５を形成する一対の挟持部２６を設け、、両挟持部２６の内壁に圧接用の一対の挟持突起２７を設けているので、図４に示すように、角ワイヤー１をコネクタ端子２２の側面方向に向けて接続できるので、請求項１発明の効果に加え、電源配索の自由度を広げることができる。
【００２４】
【発明の効果】
以上の説明より明らかなように、請求項１の発明によれば、コネクタ端子を、縦方向に形成された端子部と、この端子部と直交する横方向に形成された圧接部とで形成し、前記圧接部の正面方向に角ワイヤーを挟み込むスリットを形成する一対の挟持部を設け、両挟持部の内壁に圧接用の一対の挟持突起を設けたので、角ワイヤーをコネクタ端子に確実に固定できる。
【００２５】
また、縦方向に形成された端子部に対し圧接部を横方向に形成しているので、コネクタ端子の高さを抑えることができる。
【００２６】
また、本発明の角ワイヤーとコネクタ端子との接続構造によれば、圧接による接続を実現させ、溶接工程を削減することにより、コストダウンを図ることができる共に、より確実で安定した圧接状態を実現することができる。
【００２７】
請求項２の発明によれば、前記圧接部に設ける角ワイヤーを挟み込むスリットを形成する一対の挟持部を圧接部の側面方向に設けたので、角ワイヤーをコネクタ端子と直交する方向に接続させることができ、請求項１の発明の効果に加え、電源配索の自由度を広げることができる。
【図面の簡単な説明】
【図１】角ワイヤーと端子との関係を示し、（ａ）は本発明の第１実施形態に係るコネクタ端子を示す斜視図、（ｂ）は図１（ａ）の側面図、（ｃ）は図１（ａ）の背面図、（ｄ）は図１（ａ）の平面図、（ｅ）は図１（ａ）の正面図である。
【図２】角ワイヤーを端子に接続した状態を示し、（ａ）は図１に示したコネクタ端子に角ワイヤーを圧接接続した状態を示す斜視図、（ｂ）は（ａ）のＩＩｂ−ＩＩｂ線で切断した断面図である。
【図３】本発明の第２実施形態に係るコネクタ端子を示す斜視図である。
【図４】図３に示したコネクタ端子に角ワイヤーを圧接接続した状態を示す斜視図で　る。
【図５】角ワイヤーとコネコタ端子との接続を、溶接による接続とした状態を示す斜　視図である。
【図６】角ワイヤーとコネクタ端子との接続を、圧接による接続とした状態を示す斜　視図である。
【図７】従来の角ワイヤーと端子との接続状態を示し、（ａ）は従来のコネクタ端子の形状を示す斜視図、（ｂ）は図５（ａ）の正面図、（ｃ）は図５（ａ）の側面図、（ｄ）は（ａ）の平面図である。
【符号の説明】
１　角ワイヤー
２、２２　コネクタ端子
３、２３　端子部
４、２４　圧接部
５、２５　スリット
６、２６　挟持部
７、２７　挟持突起
【図１】
2004022237.tif 000003
【図２】
2004022237.tif 000004
【図３】
2004022237.tif 000005
【図４】
2004022237.tif 000006
【図５】
2004022237.tif 000007
【図６】
2004022237.tif 000008
【図７】
2004022237.tif 000009